(57)【要約】【課題】安全限界つばよりも先端側の外周面を握ろうとしたことを作業者自身がわかるようにすることで、感電リスクを低減できるようにする。【解決手段】本発明に係る間接活線作業用絶縁棒は、先端及び末端を有する棒本体と、前記棒本体上に配置され前記末端側へ水が伝うのを防止する水切りつばと、前記棒本体上において前記水切りつばよりも前記末端側に配置され、感電を防止可能な限界を示す安全限界つばと、を有する間接活線作業用絶縁棒であって、前記水切りつばと前記安全限界つばとの間に、絶縁性材料で構成され、かつ、前記棒本体の外周面よりも前記棒本体の径方向の外側に突出する突出部を有する。【選択図】図１
2018085822.tif 000002
【特許請求の範囲】
【請求項１】
先端及び末端を有する棒本体と、前記棒本体上に配置され前記末端側へ水が伝うのを防止する水切りつばと、前記棒本体上において前記水切りつばよりも前記末端側に配置され、感電を防止可能な限界を示す安全限界つばと、を有する間接活線作業用絶縁棒であって、前記水切りつばと前記安全限界つばとの間に、絶縁性材料で構成され、かつ、前記棒本体の外周面よりも前記棒本体の径方向の外側に突出する突出部を有する、ことを特徴とする間接活線作業用絶縁棒。
【請求項２】
前記間接活線作業用絶縁棒において、前記突出部は、前記棒本体の軸方向における長さが、前記水切りつばと前記安全限界つばとの間の距離よりも小さく構成され、かつ、前記水切りつばよりも前記安全限界つばに近い位置に配置される、ことを特徴とする請求項１に記載の間接活線作業用絶縁棒。
【請求項３】
前記間接活線作業用絶縁棒において、前記突出部は、前記水切りつばと前記安全限界つばとの間の前記外周面を前記先端側と前記末端側とに二等分する２つの領域のうち、前記安全限界つばに近い側の領域全体に設けられる、ことを特徴とする請求項１に記載の間接活線作業用絶縁棒。
【請求項４】
前記間接活線作業用絶縁棒において、前記突出部の径方向外側への突出長さは、前記水切りつば又は前記安全限界つばの少なくとも一方の直径の範囲内に収まっている、ことを特徴とする請求項１に記載の間接活線作業用絶縁棒。
【発明の詳細な説明】
【技術分野】
【０００１】
本発明は、高所における充電部に対し遠隔から作業するための間接活線作業用絶縁棒に関する。
【背景技術】
【０００２】
従来、間接活線作業を行うための間接活線作業用絶縁棒が知られている。この間接活線作業用絶縁棒には、先端側に水切りつばが、末端側に安全限界つばが配置されている。水切りつばは、先端側から末端側へ水が伝うのを防止することで、水を介した感電を防止するために備えられたものである。安全限界つばは、作業者が握っても感電しない部分と、それ以外の部分で、握ると感電する可能性がある部分との境界を明確にするために備えられたものである（例えば特許文献１参照）。
【先行技術文献】
【特許文献】
【０００３】
【特許文献１】特開２０１０−６８５８２号公報
【発明の概要】
【発明が解決しようとする課題】
【０００４】
ところで、作業者が、間接活線作業中に安全限界つばよりも先端側で間接活線作業用絶縁棒を誤って握ってしまう場合がある。このような場合は、例えば、作業者が間接活線作業用絶縁棒の先端に設けられた工具に意識を集中してしまった場合、又は作業者が作業に不慣れな場合である。間接活線作業用絶縁棒の外周面は概ね凹凸のない円周面に構成されているため、安全限界つばよりも末端側と先端側とで、その外周面を作業者が握ったときの接触感覚に大きな相違がない。そのため、作業者が安全限界つばよりも先端側で間接活線作業用絶縁棒を握っていても、そのことに気がつかない場合がある。ところが、作業者が安全限界つばよりも先端側を握ってしまうと、間接活線作業用絶縁棒が電線に接触している場合、その電線を流れる電流によって、その作業者が感電する恐れがある。
【０００５】
そこで、本発明は、安全限界つばよりも先端側の外周面を握ろうとしたことを作業者自身がわかるようにすることで、感電リスクを低減することが可能な間接活線作業用絶縁棒を提供することを目的とする。
【課題を解決するための手段】
【０００６】
本発明に係る間接活線作業用絶縁棒は、先端及び末端を有する棒本体と、前記棒本体上に配置され前記末端側へ水が伝うのを防止する水切りつばと、前記棒本体上において前記水切りつばよりも前記末端側に配置され、感電を防止可能な限界を示す安全限界つばと、を有する間接活線作業用絶縁棒であって、前記水切りつばと前記安全限界つばとの間に、絶縁性材料で構成され、かつ、前記棒本体の外周面よりも前記棒本体の径方向の外側に突出する突出部を有することを特徴とする。
【０００７】
かかる構成によれば、水切りつばと安全限界つばとの間に突出部を設けているので、作業者が安全限界つばを超えて安全限界つばと水切りつばとの間を握ろうとしたときに、突出部が作業者の手指に当接する。これにより、当該作業者に通常とは異なる接触感覚を与えることができる。したがって、本発明に係る間接活線作業用絶縁棒は、安全限界つばよりも先端側を握ろうとしたことを作業者自身がわかるようにでき、感電リスクを低減することが可能である。
【０００８】
前記間接活線作業用絶縁棒において、前記突出部は、前記棒本体の軸方向における長さが、前記水切りつばと前記安全限界つばとの間の距離よりも小さく構成され、かつ、前記水切りつばよりも前記安全限界つばに近い位置に配置される構成を採用することができる。
【０００９】
かかる構成によれば、作業者が誤って安全限界つばを超えて握る可能性がより高い領域である水切りつばと安全限界つばとの間のうち、安全限界つばに近い領域に突出部を設けるので、安全限界つばを超えて先端側を握ろうとする作業者に、誤りを効果的にわからせることができる。したがって、本発明に係る間接活線作業用絶縁棒は、効果的に感電リスクを低減することが可能である。
【００１０】
前記間接活線作業用絶縁棒において、前記突出部は、前記水切りつばと前記安全限界つばとの間の前記外周面を前記先端側と前記末端側とに二等分する２つの領域のうち、前記安全限界つばに近い側の領域全体に設けられる構成を採用することができる。
【００１１】
かかる構成によれば、作業者が誤って安全限界つばを超えて握る可能性がより高い領域である水切りつばと安全限界つばとの間の領域を先端側と末端側とに二等分する２つの領域のうち、安全限界つばに近い側の領域全体に突出部を設けるので、安全限界つばを超えて先端側を握ろうとする作業者に、誤りを効果的にわからせることができる。したがって、本発明に係る間接活線作業用絶縁棒は、効果的に感電リスクを低減することが可能である。
【００１２】
前記間接活線作業用絶縁棒において、前記突出部の径方向外側への突出長さは、前記水切りつば又は前記安全限界つばの少なくとも一方の直径の範囲内に収まっている構成を採用することができる。
【００１３】
かかる構成によれば、突出部が存在しても、間接活線作業用絶縁棒の最大径が水切りつば又は安全限界つばの外径である。したがって、本発明に係る間接活線作業用絶縁棒は、突出部の配置によって間接活線作業用絶縁棒を収納するための容積が増大することを防止できる。
【発明の効果】
【００１４】
以上のように、本発明の間接活線作業用絶縁棒によれば、安全限界つばよりも先端側の外周面を握ろうとしたことを作業者自身がわかるようにすることで、感電リスクを低減することができる、といった効果を奏する。
【図面の簡単な説明】
【００１５】
【図１】図１は、本発明の第１実施形態に係る間接活線作業用絶縁棒の正面図である。
【図２】図２は、本発明の第１実施形態に係る間接活線作業用絶縁棒の突出部を示す拡大正面図である。
【図３】図３は、本発明の第１実施形態に係る間接活線作業用絶縁棒の突出部を示す横断面図である。
【図４】図４は、本発明の第２実施形態に係る間接活線作業用絶縁棒の正面図である。
【図５】図５は、本発明の第３実施形態に係る間接活線作業用絶縁棒の突出部を示す拡大正面図である。
【図６】図６は、本発明の第３実施形態に係る間接活線作業用絶縁棒の突出部を示す横断面図である。
【図７】図７は、本発明の第４実施形態に係る間接活線作業用絶縁棒の突出部を示す拡大正面図である。
【図８】図８は、本発明の第４実施形態に係る間接活線作業用絶縁棒の突出部を示す横断面図である。
【発明を実施するための形態】
【００１６】
本発明の実施形態に係る間接活線作業用絶縁棒について図面を参照して説明する。
【００１７】
（第１実施形態）
まず、本発明の第１実施形態に係る間接活線作業用絶縁棒１を、添付図面を参照しながら説明する。なお、以下の各実施形態において同一または対応する部分には同一の参照符号を付しており、これらの部分の構成についての説明は、基本的には繰り返さない。
【００１８】
図１に示されるように、間接活線作業用絶縁棒１は、先端２ａ及び末端２ｂを有する棒本体２と、棒本体２上で先端２ａ側に配置された水切りつば３と、棒本体２上で末端２ｂ側に配置された安全限界つば４と、棒本体２の先端２ａに取り付けられたクランプ工具５とを備える。
【００１９】
棒本体２は、略円柱形状を有する長尺部材であり、棒本体２の外周面２０は、円周面である。棒本体２の外周面２０は、先端２ａと水切りつば３との間の作業領域２１と、水切りつば３と安全限界つば４との間の中央領域２２と、安全限界つば４と末端２ｂとの間の把持領域２３とを有する。把持領域２３は、作業者が棒本体２を握って把持するための領域である。水切りつば３は、棒本体２の外周面２０に嵌め込まれた円筒体３１と、円筒体３１から棒本体２の径方向に広がる傘状体３２とを備え、棒本体２の外周面２０を先端２ａ側から伝う雨水等が水切りつば３を超えて末端２ｂ側へ移動することを防止する。安全限界つば４は、棒本体２の外周面２０に嵌め込まれた円筒体４１と、円筒体４１から棒本体２の径方向に広がる傘状体４２とを備え、棒本体２上で末端２ｂから先端２ａ側へ所定距離離れた位置に配置され、感電を防止可能な限界を示す。クランプ工具５は、棒本体２の先端２ａに固定された固定部５１と、棒本体２の操作により棒本体２の軸方向Ａで移動する可動部５２とを備え、固定部５１と可動部５２とにより電線等の対象物をクランプできる。
【００２０】
図１に示されるように、間接活線作業用絶縁棒１は、水切りつば３と安全限界つば４との間に突出部６を有する。突出部６は、絶縁性材料で構成され、かつ、棒本体２の外周面２０よりも棒本体２の径方向Ｄの外側に突出する。突出部６は、より詳しくは、水切りつば３と安全限界つば４との間の中央領域２２を軸方向Ａで二等分する２つの領域（先端側領域２２ａ、末端側領域２２ｂ）のうち、安全限界つば４に近い側の末端側領域２２ｂの全体に設けられる。
【００２１】
図２、図３を参照して、突出部６の構成を説明する。図２、図３に示されるように、突出部６は、樹脂性材料で構成された有刺線６０を末端側領域２２ｂに複数回巻き付けることによって構成された巻線体である。有刺線６０は、一重コイルのように交差することなく末端側領域２２ｂを覆うように巻きつけられてもよいが、交差しながら巻きつけられることが好ましい。有刺線６０が交差しながら巻きつけられることで、後述するように、刺部６２同士がより交差するようになる。有刺線６０は、主線６１と、主線６１の外周面から突出する複数の刺部６２とを備える。刺部６２は、尖った先端を有する軸状体である。刺部６２は、主線６１の長さ方向で一定又は不定間隔を空けて配置され、主線６１の周方向でランダムな位置から突出する。刺部６２は、突出部６が作業者の手によって握られた際に、容易に撓むことがない程度の硬さを有することが好ましい。
【００２２】
突出部６の刺部６２は、棒本体２の軸方向Ａに対してランダムな傾斜角度を有するため、図２に示されるように棒本体２の径方向Ｄから見て、接近していて傾斜角度が異なる刺部６２同士は、場合によっては互いに交差している。また、突出部６の刺部６２は、棒本体２の径方向Ｄに対してランダムな傾斜角度を有するため、図３に示されるように棒本体２の軸方向Ａから見て、接近していて傾斜角度が異なる刺部６２同士は、場合によっては互いに交差している。したがって、刺部６２同士が３次元内のランダムな方向で交差している。特に、有刺線６０の主線６１が交差するように有刺線６０を棒本体２に巻き付けることで、刺部６２同士がより交差するようになる。また、突出部６に設けられた刺部６２の密度は、交差する刺部６２によって、作業者の手指が突出部６を通過して外周面２０に接触するのを妨げることができるように設定されている。
【００２３】
作業者が、把持領域２３を握るべきところを誤って、安全限界つば４を超えて中央領域２２の末端側領域２２ｂを握ろうとした場合、作業者の手は突出部６の外周面に触れる。そうすると、作業者の手指に刺部６２が刺すように当接し、作業者に把持領域２３とは異なる接触感覚が発生するので、作業者は、安全限界つば４よりも先端２ａ側の外周面２０を握ろうとしたことを自身で把握できる。特に、作業者の手が刺部６２の先端に触れた場合は、より明確な刺激、つまり痛みが発生するので、安全限界つば４よりも先端２ａ側の外周面２０を握ろうとしたことを自身で把握しやすい。特に、刺部６２が突出部６を握られた際に容易に撓まない硬さを有することで、明確な刺激を与えることができる。また、刺部６２同士が３次元内のランダムな方向で交差しているので、作業者が末端側領域２２ｂを握ろうとしても、交差した刺部６２が手指の障害物となって棒本体２への接触が妨げられる。そのため、突出部６は、作業者の手が突出部６を超えて末端側領域２２ｂに直接触れることを防止でき、感電リスクを低減できる。
【００２４】
また、突出部６は、水切りつば３又は安全限界つば４の少なくとも一方の直径の範囲内に収まる。第１実施形態では、水切りつば３及び安全限界つば４の直径は同一であり、この同一の直径よりも突出部６の最大径は小さい。そのため、突出部６は、水切りつば３及び安全限界つば４の双方の直径の範囲内に収まり、間接活線作業用絶縁棒を収納するための容積が増大することを防止できる。
【００２５】
（第２実施形態）
図４を参照して、第２実施形態に係る間接活線作業用絶縁棒１を説明する。図４に示されるように、突出部６の棒本体２の軸方向Ａにおける長さは、水切りつば３と安全限界つば４との間の距離よりも小さい。突出部６と水切りつば３との間の離間距離Ｌ３は、突出部６と安全限界つば４との間の離間距離Ｌ４よりも大きい。したがって、突出部６は、水切りつば３と安全限界つば４との間で、安全限界つば４に近い位置に配置されている。
【００２６】
（第３実施形態）
図５、図６を参照して、第３実施形態に係る間接活線作業用絶縁棒１を説明する。第３実施形態に係る間接活線作業用絶縁棒１は、剣山状に構成された突出部６を有する。
【００２７】
図５、図６に示されるように、突出部６は、外周面２０に接触する筒状部６３と、筒状部６３から棒本体２の径方向Ｄに突出する複数の錐状部６４と、を備える。複数の錐状部６４は、棒本体２の周方向に沿って、かつ棒本体２の軸方向Ａに沿って、間隔を空けて配置されている。錐状部６４は、棒本体２の径方向Ｄに沿って延びており、錐状部６４同士は交差しない。突出部６に設けられた錐状部６４の密度は、作業者の手の全体が突出部６を通過して外周面２０に接触するのを妨げることができるように設定されている。
【００２８】
（第４実施形態）
図７、図８を参照して、第４実施形態に係る間接活線作業用絶縁棒１を説明する。第４実施形態に係る間接活線作業用絶縁棒１は、異なる構成の突出部６を有する。
【００２９】
図７、図８に示されるように、突出部６は、外周面２０に接触する筒状部６３と、筒状部６３から棒本体２の径方向Ｄに突出する複数の環状体６５と、を備える。複数の環状体６５は、棒本体２の軸方向Ａに沿って、間隔を空けて配置されている。突出部６に設けられた環状体６５間の間隔は、作業者の手の全体が突出部６を通過して外周面２０に接触するのを妨げることができるように設定されている。
【００３０】
第１から第４実施形態のそれぞれに係る間接活線作業用絶縁棒１は、先端２ａ及び末端２ｂを有する棒本体２と、棒本体２上に配置され末端２ｂ側へ水が伝うのを防止する水切りつば３と、棒本体２上において水切りつば３よりも末端２ｂ側に配置され、感電を防止可能な限界を示す安全限界つば４と、を有する。間接活線作業用絶縁棒１は、水切りつば３と安全限界つば４との間に、絶縁性材料で構成され、かつ、棒本体２の外周面２０よりも棒本体２の径方向Ｄの外側に突出する突出部６を有する。
【００３１】
かかる構成によれば、水切りつば３と安全限界つば４との間に突出部６を設けているので、作業者が安全限界つば４を超えて安全限界つば４と水切りつば３との間を握ろうとしたときに、突出部６が作業者の手指に当接する。これにより、当該作業者に通常とは異なる接触感覚を与えることができる。したがって、間接活線作業用絶縁棒１は、安全限界つば４よりも先端２ａ側を握ろうとしたことを作業者自身がわかるようにでき、感電リスクを低減することが可能である。
【００３２】
第１から第４実施形態のそれぞれに係る間接活線作業用絶縁棒１では、突出部６は、棒本体２の軸方向Ａにおける長さが、水切りつば３と安全限界つば４との間の距離よりも小さく構成され、かつ、水切りつば３よりも安全限界つば４に近い位置に配置されている。
【００３３】
かかる構成によれば、作業者が誤って安全限界つば４を超えて握る可能性がより高い領域である水切りつば３と安全限界つば４との間のうち、安全限界つば４に近い領域に突出部６を設けるので、安全限界つば４を超えて先端２ａ側を握ろうとする作業者に、誤りを効果的にわからせることができる。したがって、間接活線作業用絶縁棒１は、効果的に感電リスクを低減することが可能である。
【００３４】
第１、第３又は第４実施形態に係る間接活線作業用絶縁棒１では、突出部６は、水切りつば３と安全限界つば４との間の外周面２０を先端２ａ側と末端２ｂ側とに二等分する２つの領域２２ａ、２２ｂのうち、安全限界つば４に近い側の領域（末端側領域）２２ｂの全体に設けられている。
【００３５】
かかる構成によれば、作業者が誤って安全限界つば４を超えて握る可能性がより高い領域である水切りつば３と安全限界つば４との間の領域を先端２ａ側と末端２ｂ側とに二等分する２つの領域２２ａ、２２ｂのうち、安全限界つば４に近い側の領域２２ｂの全体に突出部６を設けるので、安全限界つば４を超えて先端２ａ側を握ろうとする作業者に、誤りを効果的にわからせることができる。したがって、間接活線作業用絶縁棒１は、効果的に感電リスクを低減することが可能である。
【００３６】
第１から第４実施形態のそれぞれに係る間接活線作業用絶縁棒１では、突出部６の径方向Ｄ外側への突出長さは、水切りつば３又は安全限界つば４の少なくとも一方の直径の範囲内に収まってもよい。
【００３７】
かかる構成によれば、突出部６が存在しても、間接活線作業用絶縁棒１の最大径が水切りつば３又は安全限界つば４の外径である。したがって、間接活線作業用絶縁棒１は、突出部６の配置によって間接活線作業用絶縁棒１を収納するための容積が増大することを防止できる。
【００３８】
なお、本発明の間接活線作業用絶縁棒は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００３９】
第１から第４実施形態に係る突出部６は、棒本体２の外周面２０の全周にわたるように配置されている。具体的には、第１および第２実施形態では、複数の刺部６２が外周面２０の周方向に沿って配置され、第３実施形態では、複数の錐状部６４が外周面２０の周方向に沿って配置され、第４実施形態では、環状体６５は外周面２０の全周にわたっている。以上の構成に代えて、突出部６は、外周面２０の一部の周にわたるように配置されてもよい。この場合、第１および第２実施形態では、外周面２０の周内に、少なくとも１つの刺部６２が配置される。第３実施形態では、外周面２０の周内に、少なくとも１つの錐状部６４が配置される。第４実施形態では、外周面２０の全周で突出する環状体６５に代えて、外周面２０の一部の周で突出する扇形部が用いられる。このように、突出部６が、外周面２０の一部の周にわたるように配置された場合でも、作業者が外周面２０を握ろうとしたときに、突出部６が作業者の手指に当接し、これにより、当該作業者に通常とは異なる接触感覚を与えることができる。したがって、この場合も、間接活線作業用絶縁棒１は、安全限界つば４よりも先端２ａ側を握ろうとしたことを作業者自身がわかるようにでき、感電リスクを低減することが可能である。
【００４０】
第１、第３及び第４実施形態に係る突出部６は、水切りつば３と安全限界つば４との間の中央領域２２を軸方向Ａで二等分する２つの領域２２ａ、２２ｂのうち、安全限界つば４に近い側の領域２２ｂの全体に設けられている。第２実施形態に係る突出部６は、水切りつば３と安全限界つば４との間で、安全限界つば４に近い位置に配置されている。本発明に係る突出部６は、水切りつば３と安全限界つば４との間に配置されていれば、その配置位置は限定されない。突出部６は、水切りつば３と安全限界つば４との間の全体に配置されてもよく、水切りつば３と安全限界つば４との間で、水切りつば３に近い位置に配置されてもよい。また、突出部６は、水切りつば３と安全限界つば４との間だけでなく、水切りつば３よりも先端２ａ側に配置されてもよい。
【００４１】
第３実施形態に係る突出部６は、外周面２０に接触する筒状部６３と、筒状部６３から棒本体２の径方向Ｄに突出する複数の錐状部６４とを備えている。この構成において、錐状部６４は、錐状部６４から棒本体２の周方向に突出する枝状体を有してもよい。この場合、枝状体同士が交差して、第１実施形態に係る突出部６と同様に、交差した枝状体が、外周面２０に接近しようとする手指の障害物となって、作業者の手が突出部６を超えて外周面２０に直接触れることを防止できる。
【符号の説明】
【００４２】
１…間接活線作業用絶縁棒、２…棒本体、２ａ…先端、２ｂ…末端、２０…外周面、２１…作業領域、２２…中央領域、２２ａ…先端側領域、２２ｂ…末端側領域、２３…把持領域、３…水切りつば、３１…円筒体、３２…傘状体、４…安全限界つば、４１…円筒体、４２…傘状体、５…クランプ工具、５１…固定部、５２…可動部、６…突出部、６０…有刺線、６１…主線、６２…刺部、６３…筒状部、６４…錐状部、６５…環状体、Ａ…軸方向、Ｄ…径方向、Ｌ３…突出部６と水切りつば３との間の離間距離、Ｌ４…突出部６と安全限界つば４との間の離間距離
【図１】
2018085822.tif 000003
【図２】
2018085822.tif 000004
【図３】
2018085822.tif 000005
【図４】
2018085822.tif 000006
【図５】
2018085822.tif 000007
【図６】
2018085822.tif 000008
【図７】
2018085822.tif 000009
【図８】
2018085822.tif 000010